(57)【特許請求の範囲】
【請求項１】
先端を、ベビーシューズの内側端を揃え各履き口から爪先方向に挿入して挟持する挟持部に構成した一対の挟持部材を、挟持部材把持部の摺動溝を挿通して挟持部の背部に着合するリングばねによって挟持方向に付勢して開閉可能に支着したクリップ体を、前記リングばねを挿通して吊下げ保持する保持体の上端に回動可能に係着された保持リングに着脱可能に着合する取付けベルトが前記保持体を介してクリップ体を所要の吊下げ形態で、任意の部位に取付けできるようにしたことを特徴とするベビーシューズホルダー
【請求項２】
挟持部材把持部の摺動溝を並列して複数条設けると共に、複数条のリングばねを挿通して並列し、保持リングによるクリップ体の保持を安定させ、挟持力を強化させるようにした請求項１記載のベビーシューズホルダー
【請求項３】
クリップ体をプラスチック等着色可能な素材で形成し、取付けベルトにも着色或いは装飾を施して、クリップ体と取付けベルトを統一した色調、或いは、任意のデザイン色調によって色分けするようにした請求項１又は請求項２記載のベビーシューズホルダー
【請求項４】
クリップ体の支着部に任意のキャラクターを表示したプレートを貼着し、一対の挟持部材の各側腹部と、取付けベルトの所要表面に、前記キャラクターと関連するワンポイントデザインを表示するようにした請求項１又は請求項２記載のベビーシューズホルダー
【請求項５】
クリップ体の支着部に、大柄のリボン、花などの把持部を隠すアクセサリーを貼着し、一対の各挟持部材を模様編みレース生地等の装飾生地で形成したカバー体で被覆するようにした請求項１又は請求項２記載のベビーシューズホルダー
【発明の詳細な説明】
【技術分野】
【０００１】
本発明は、乳幼児を連れての外出時に、脱がせたベビーシューズ等を携行する際に用いるベビーシューズホルダーに関するものである。
【背景技術】
【０００２】
乳幼児を連れての外出には、オムツ、お尻拭き、ガーゼ、飲み物、着替え、おもちゃ等多くの物を携行する必要があり、外出時の持ち物の平均重量は３.１５Ｋｇにも達し、乳幼児を抱っこした場合には、乳幼児の平均体重１０Ｋｇが加わり、親子の外出の大きな障害となっている。
【０００３】
乳幼児に履かせる靴は、親としては子供を出来るだけ歩かせたい一方、混雑した電車やバス、エレベーター中では抱き上げても、汚れた子供の靴が他の乗客や壁などに触れて迷惑を掛けたり、レストランや乗用車の車内でも、いちいち靴を脱がさなければ、椅子やチャイルドシートを汚してしまうなどの問題がある。また、室内の遊び場では靴を脱がなければならないことも多い。
【０００４】
このように、脱がせた乳幼児の靴を、どのように始末するかが問題であり、持ち歩くにしても左右一対で１足となっている靴を、どのように纏めて携行するかが問題であり、携行品としては靴、傘、杖等の携行について提案がなされているが、ベビーシューズについての提案は見当たらない。
【０００５】
特許文献１には、手に提げたり肩に掛けてシューズの持ち運びをするシューズホルダーとして、括りバンドで左右シューズの足甲部分を一体的に括り、掛け渡しバンドを左右シューズの踵部分に掛け渡してショルダーバンド等で携行することが記載され、特許文献２には、底部を閉鎖した筒状の傘収容体に傘を収容してベビーカー等に着脱自在に取り付けることが、また、特許文献３には、腹巻状の本体の上下部に同径の伸縮ベルトを設けて、本体を大人の両脚に通したときにその一部が乳幼児の座椅子になるようすることが記載されている。
【先行技術文献】
【特許文献】
【０００６】
【特許文献１】第３０５１５４６号登録実用新案公報
【特許文献２】特開２００５−３１２８００号公報
【特許文献３】特開２００７−１５２０６２号公報
【発明の概要】
【発明が解決しようとする課題】
【０００７】
しかしながら、乳幼児を連れての外出時には、特許文献１記載のように括りバンドで左右シューズの足甲部分を一体的に括り、掛け渡しバンドを左右シューズの踵部分に掛け渡すといった作業は困難であり、特許文献３記載のように乳幼児を大人の身体に固定してしまったのでは、折角の親子の外出の楽しみが半減するといった問題がある。
【０００８】
本発明は、前記のように、外出時に脱がせたり履かせたりする乳幼児の靴を、どのように始末するか、持ち歩くにしても左右一対で１足となっている靴を、どのように纏めて携行するかの問題に対応し、更に、携行時の美観や、乳幼児の興味を惹くデザインによって乳幼児の靴の脱ぎ履きをスムーズにすることにも対応しようとするものである。
【課題を解決するための手段】
【０００９】
本発明は上記した課題に対応しようとするものであり、先端をベビーシューズの内側端を揃え、各履き口から爪先方向に挿入して挟持する挟持部に構成した一対の挟持部材を、挟持部材把持部の摺動溝を挿通して挟持部の背部に着合するリングばねによって挟持方向に付勢して開閉可能に支着したクリップ体を、前記リングばねを挿通して吊下げ保持する保持体と、その上端を回動可能に係着する保持リングと、保持リングに着合し吊下げリングを介して所要の吊下げ形態で、任意の部位に取り付ける取付けベルトによってホルダーを構成するようにした。
【００１０】
また、挟持部材把持部の摺動溝を並列して複数条設けると共に、複数条のリングばねを挿通して並列し、保持リングによるクリップ体の保持を安定させ、挟持力を強化させるように構成し、挟持したベビーシューズが安定した体勢で保持され、汚れた面が意想外の方向に動くことを抑止するようにした。
【００１１】
更に、クリップ体をプラスチック等着色可能な素材で形成し、取付けベルトにも着色或いは装飾を施して、クリップ体と取付けベルトを統一した例えばホワイト、ネービイブルー、ブラウン等の色調、或いは、任意のデザイン色調によって色分けするようにし、美観を高めてアクセサリー的な魅力を高めるようにしたり、或いは、クリップ体の支着部に任意のキャラクターを表示したプレートを貼着し、一対の挟持部材の各側腹部と、取付けベルトの所要表面に、前記キャラクターと関連するワンポイントデザインを表示するようにして乳幼児の興味も惹くように構成した。
【００１２】
また、クリップ体の支着部に、大柄のリボン、花などの把持部を隠すアクセサリーを貼着し、一対の各挟持部材を模様編みレース生地等の装飾生地で形成し、脱臭剤、芳香剤などを浸透させた綿などを添えたカバー体で被覆するようにし、ベビーシューズホルダーを所帯じみた育児用品と気付かせずに、しゃれたアクセサリーとして携行できるようにした。
【発明の効果】
【００１３】
本発明は、上記のように構成したので、左右一対で１足となっている靴の内側端を揃え、クリップ体を開いて各挟持部をそれぞれ各履き口から爪先方向に挿入してクリップ体で挟着するだけで、１足の靴をばらばらにすることなく纏めて保持することができ、取付けベルトによってベビーカー等に着脱自在に取り付けたり、図５に示すような抱っこ紐に取り付けたりして携行することができる。
【００１４】
また、単に靴の内側端を揃え、各履き口の立ち壁を合括して挟持するだけではなく、各履き口から爪先方向に挿入して、履き口から斜めに爪先方向の内壁を掴むので、多少の引張力が働いても簡単に抜け落ちることがない。
【００１５】
また、本発明によるホルダーは、クリップ体のリングばねを挿通して吊下げ保持する保持体と、その上端を回動可能に係着する保持リングが取付けベルトに着脱可能な構成となっているので、会合等で靴を脱いだときに１足を揃えて取付けベルトを外したクリップ体で挟着しておけば、靴が左右ばらばらになることがなく、どれが自分の靴であるかを見分ける目印としても使用することができる。
【００１６】
更に、１足の靴の内側端を揃え、各履き口から爪先方向に挿入してクリップ体で挟着すれば、１足ペアでパックされるので、ベビーシューズに限らず、バスケットシューズ等の大人の靴についても、これを運搬、携行のために、被着体の構造に対応した構成の取付けベルトによりベビーカー、買い物袋、抱っこ紐、シルバーカー、肩掛けベルト等に取付け運行すれば、携行のための負担を著しく軽減でき、幅広く活用できる。
【００１７】
また、本発明によるホルダーは、靴をペアパックするクリップ体の付勢リングばねが、保持体先端の吊下げリングを挿通して側方にフリー状態で吊下げられると共に、取付けベルトを挿通着脱する保持体上端の保持リングが保持体に対して回動自在に着合されており、吊り下げ物を自由な方向に向けることができ、取付けベルトは保持リングを挿通しているだけで固定要素がないので前後方向にも自在な動きが確保されている。
【００１８】
本発明は、上記の構成により、吊下げ物に無理な規制を加えることなく、自在な動きを確保したので、例えば、混雑した電車の中ではパックしたベビーシューズの汚れた面を内側に向け、他人に迷惑を掛けないようにする配慮もできるほか、クリップ体の開閉を自由な方向からできるので、クリップ体による挟着脱を容易に行うことができる。
【００１９】
シューズホルダーを単なる携行吊り下げ具とした場合、その商品的魅力は利便性のみに依拠する硬いものとなってしまうが、クリップ体と取付けベルトに色彩的工夫やアクセサリー的要素を加えるようにすることにより、色彩や形態に対する関心をも惹くことができ、利便性とは異なった面での商品的魅力を付加することができる。
【図面の簡単な説明】
【００２０】
【図１】本発明の実施例を示すもので、本発明によるベビーシューズホルダーの全体構造を示す全体斜視図
【図２】同じく、他の実施例としてクリップ体の挟着付勢に２本のリングばねを用いた状態を示すベビーシューズホルダーの全体斜視図
【図３】同じく、クリップ体の挟着付勢に２本のリングばねを用いた実施例における保持体先端の吊下げリングを挿通して側方にフリー状態で吊下げられ、取付けベルトを挿通着脱する保持体上端の保持リングが保持体に対して回動自在に着合される構成を示す要部拡大斜視図
【図４】同じく、ベビーシューズを揃えて、各履き口から爪先方向に挿入して靴の内側壁を挟着パックした状態を示す靴とホルダーの正面図
【図５】同じく、幼児を抱いて、ベビーシューズを挟着パックしたベビーシューズホルダーを、抱っこ紐に取付け、腰部に吊下げた状態を示す斜視図
【図６】同じく、他の実施例としてクリップ体の支着部に任意のキャラクターを表示したプレートを貼着し、一対の挟持部材の各側腹部と、取付けベルトの所要表面に、前記キャラクターと関連するワンポイントデザインを表示した例を示すベビーシューズホルダーの全体斜視図
【図７】同じく、他の実施例としてクリップ体の支着部に、大柄のリボン、花などの把持部を隠すアクセサリーを貼着し、一対の各挟持部材を模様編みレース生地等の装飾生地で形成したカバー体で被覆した例を示すベビーシューズホルダーの全体斜視図
【発明を実施するための形態】
【００２１】
以下、図面を参照して本発明の実施の形態について詳細に説明すると、１はクリップ体で、先端をベビーシューズの内側端を揃えて挟持する挟持部1ａに構成した一対の挟持部材１Ａ、１Ｂを、把持部１ｂの摺動溝２を挿通して挟持部の背部に着合するリングばね３によって挟持方向に付勢して開閉可能に支着し、把持部１ｂの操作によって開口したクリップ体の各挟持部１ａ、１ａのそれぞれを、揃えられ重合されたベビーシューズＳの、各履き口Ｓａから爪先方向に挿入して内側壁を重合して挟着するようになっている。
【００２２】
クリップ体１は、保持体４下端の吊下げリング４１に挿通されたリングばね３によって吊下げ保持され、保持体４の上端に回動可能に係着された保持リング５の上辺に挿通して挿通端を折り曲げ固着して、着脱可能に着合する所要の吊下げ形態で、任意の部位に取り付ける取付けベルト６と結合する。
【００２３】
取付けベルト６は、皮、フェイクレザー、ビニール等の素材により、一端を保持リング５に挿通して雌側のスナップボタンで固着すると共に、他端に雄ボタンを設定して、ベルトを折り曲げて雌ボタンに嵌めれば、ベビーカー等の被着体にしっかりと取り付けでき、はずれる心配もなく、取り外しも簡単である。
なお、保持リング５への接合は上記スナップボタンによる固着に限らず、面ファスナーなどによって着脱可能にし、腰に差し込む装着具や肩掛け紐などの媒体装着具に接合できるようにすれば、利用範囲を更に広げることができる。
【実施例１】
【００２４】
クリップ体を挟持方向に付勢し、吊下げリング４と接合するリングばね３は、原則的に１条で足りるが、２条或いは複数条設定することにより挟持力を高め、吊下げリング４１との接合を安定させることができる。
【００２５】
この実施例は、リングばね３が複数条となることにより、把持部の摺動溝２を挿通して挟持部の背部に着合し、押圧力が増すことは当然であるが、摺動溝２も複数条設定され、吊下げリング４１は並列したリングばね３によりクリップ体１を水平に保持して吊下げ物の動きに対して摺動するので、摺動溝部でのリングばね３の規制支持と摺動リングでの支持の少なくとも４点支持により安定力が倍加する。
【００２６】
更に、図２に示されるように、クリップ体１が保持体４下端の吊下げリング４１に挿通された２条のリングばね３によって吊下げ保持され、保持体４の上端に回動可能に係着された保持リング５を図２に図示の保持リング５ａのように構成して、これにリングばね３の上端部を挿通して着脱可能に着合する所要の吊下げ形態で、任意の部位に取り付ける取付けベルト６と結合する。４２は操作突起で、吊下げリング４１のリングばね３を挿通する開口部４３を開閉するようにして、クリップ体１が保持体４に対して着脱可能に構成される。
【００２７】
このように、リングばね３を挿通する吊下げリング４１に開口部４３を設けて開閉可能とすることによって、クリップ体１が保持体４を介して着合される取付けベルト６との関係が固定的なものではなく、自由な選択によって幅広い適用が可能になる。
【実施例２】
【００２８】
実施例２は、クリップ体１をプラスチック等着色可能な素材で形成し、取付けベルト６にも着色して、クリップ体と取付けベルトを統一した例えばホワイト、ブラック、ネービイブルー、ブラウン等の色調、或いは、任意のデザイン色調によって色分けするようにし、美観を高めてアクセサリー的な魅力を高めるものである。
【００２９】
シューズホルダーを単なる携行吊り下げ具とした場合、その商品的魅力は利便性のみに依拠する硬いものとなってしまうが、クリップ体と取付けベルトに色彩的工夫が加えられることにより、色彩に対する関心をも惹くことができ、利便性とは異なった面での商品的魅力を付加することができた。
【実施例３】
【００３０】
実施例３は、図６に示すように、クリップ体１の支着部例えば支着軸７に任意のキャラクター例えば猫の女の子を表示したプレート８を貼着し、一対の挟持部材１Ａ、１Ｂの各側腹部にそれぞれリボンのワンポイントデザイン８１、取付けベルトのスナックボタン面に、ハートのマーク８２をつける。
【００３１】
支着軸７に取り付けたキャラクタープレート８は、クリップ体１把持部の作動によって左右に揺動するようにすれば、幼児の興味を惹くことができ、玩具的な商品価値を高めることができるし、権利者の許諾を受けて人気キャラクターを用いれば、更なる商品価値を引き出すことができる。
【実施例４】
【００３２】
実施例４は、図７に示すように、クリップ体の支着部に、大柄の花９、或いはリボンなどの把持部を隠すアクセサリーを貼着し、一対の各挟持部材を模様編みレース生地等の装飾生地で形成し、脱臭剤、芳香剤などを浸透させた綿などを添えたカバー体９１、９１で被覆すると共に、取付けベルトにも装飾を加えたベルトを用い、携行時には腰回りのアクセサリーやベビーカーの飾りとして任意の場所に取り付けられるようにしたものである。
【００３３】
更に、カバー体９１、９１はファスナー等により開閉可能に構成すれば、これに添える脱臭剤、芳香剤などを浸透させた綿などの緩衝体を適宜交換することができ、洗濯したりして常に清浄を保つことができる。
【産業上の利用可能性】
【００３４】
本発明に係るベビーシューズホルダーは、靴の携行用具としてだけでなく、アクセサリー的な商品要素もおもちゃ的な商品要素も備えるもので、靴販売産業、アクセサリー産業、おもちゃ産業上にも高度の利用価値を有するものである。
【符号の説明】
【００３５】
１      クリップ体
１Ａ    挟持部材
１Ｂ    挟持部材
１ａ    挟持部材の挟持部
１ｂ    挟持部材の把持部
２      挟持部材のリングばね挿通摺動溝
３      リングばね
４      保持体
４１    保持体のクリップ体吊下げリング
４２    吊下げリング開口部の開閉操作突起
４３    吊下げリングの開口部
５      保持リング
５ａ    他の形態による保持リング
６      取付けベルト
７      挟持部材の支着軸
８      キャラクタープレート
８１    挟持部材のワンポイントデザイン
８２    取付けベルトのワンポイントデザイン
９      把持部を隠す大柄アクセサリー
９１    装飾生地で形成した挟持部材のカバー体
Ｓ      ベビーシューズ
Ｓａ    ベビーシューズの履き口
【図１】
0005495400.tif 000002
【図２】
0005495400.tif 000003
【図３】
0005495400.tif 000004
【図４】
0005495400.tif 000005
【図５】
0005495400.tif 000006
【図６】
0005495400.tif 000007
【図７】
0005495400.tif 000008